【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
ワイヤレスデバイスを自動的に構成する方法であって、前記方法は、
プログラミングモジュールにおいてサーバからプログラミング証明を受信することと、
前記プログラミング証明に基づいて前記ワイヤレスデバイスを認証することと、
前記ワイヤレスデバイスを認証した後に、前記プログラミングモジュールから前記ワイヤレスデバイスに認証成功メッセージを送ることであって、前記ワイヤレスデバイスが前記認証成功メッセージを受信した後にアクセスポイントのアクセス証明のプログラミングを可能にするためにアンロックする、送ることと、
前記認証成功メッセージを送った後に、前記プログラミングモジュールから前記ワイヤレスデバイスにプログラミングメッセージを送ることであって、前記プログラミングメッセージが前記アクセスポイントの前記アクセス証明を含む、送ることと
を備える、方法。
【請求項２】
前記ワイヤレスデバイスは、前記プログラミングモジュールから前記プログラミングメッセージを受信した後、別のアクセスポイントのアクセス証明を用いた前記ワイヤレスデバイスのプログラミングをディスエーブルにするためにロックする、請求項１に記載の方法。
【請求項３】
前記プログラミングモジュールが、前記アクセスポイントを介して認証メッセージを前記ワイヤレスデバイスと交換することによって前記ワイヤレスデバイスを認証し、前記認証メッセージの少なくとも１つが、前記プログラミングモジュールから送られ、前記プログラミング証明を含む、請求項２に記載の方法。
【請求項４】
前記プログラミングモジュールから前記プログラミングメッセージを受信した後、前記ワイヤレスデバイスは前記アクセスポイントとのローカル関連付けを完了する、請求項３に記載の方法。
【請求項５】
前記ワイヤレスデバイスをアンロックすることは前記ワイヤレスデバイスの不揮発性メモリをアンロックすることを備え、
前記アクセス証明は前記ワイヤレスデバイスの前記不揮発性メモリ中にプログラムされ、
前記ワイヤレスデバイスは、前記アクセス証明が前記ワイヤレスデバイス中にプログラムされた後、前記不揮発性メモリをロックする、請求項３に記載の方法。
【請求項６】
前記プログラミングモジュールからの前記プログラミングメッセージを送った後、前記ワイヤレスデバイスは前記アクセスポイントとのローカル関連付けを完了する、請求項１に記載の方法。
【請求項７】
前記プログラミング証明が、加入者識別モジュール（ＳＩＭ）内に記憶された情報を含む、請求項３に記載の方法。
【請求項８】
前記プログラミング証明が、共有鍵、デジタル証明書、またはユーザ名およびパスワードを含み、前記アクセス証明が、前記アクセスポイントのサービスセット識別子（ＳＳＩＤ）と、前記アクセスポイントのパスフレーズとを含む、請求項３に記載の方法。
【請求項９】
前記プログラミングモジュールが、前記アクセスポイントから前記アクセス証明を受信するように構成された、請求項８に記載の方法。
【請求項１０】
前記アクセス証明が前記プログラミングモジュールに入力される、請求項８に記載の方法。
【請求項１１】
前記プログラミングモジュールと前記アクセスポイントとが、アクセスポイント機能とプログラミングモジュール機能とを実行するように構成された単一のデバイスに統合される、請求項２に記載の方法。
【請求項１２】
前記ワイヤレスデバイスを認証するより前に前記プログラミングモジュールと前記アクセスポイントとの間にセキュアな接続を確立することをさらに備える、請求項１に記載の方法。
【請求項１３】
前記ワイヤレスデバイスの構成を開始するようにとの勧誘を前記プログラミングモジュールによって前記ワイヤレスデバイスに送ることをさらに備える、請求項１に記載の方法。
【請求項１４】
前記勧誘が、ビーコンフレーム、一般広告サービス（ＧＡＳ）フレームまたはプローブ応答メッセージを使用して前記プログラミングモジュールによって送られる、請求項１３に記載の方法。
【請求項１５】
前記プログラミングモジュールによって前記ワイヤレスデバイスの構成が開始される前に前記ワイヤレスデバイスによってネットワークを発見することをさらに備える、請求項１３に記載の方法。
【請求項１６】
前記ワイヤレスデバイスが、前記ネットワークを発見するためにプローブ要求メッセージまたはアクセスネットワーククエリプロトコル（ＡＮＱＰ）メッセージを使用するように適応される、請求項１５に記載の方法。
【請求項１７】
１つまたは複数のビーコンフレーム、一般広告サービス（ＧＡＳ）フレーム、あるいはアクセスネットワーククエリプロトコル（ＡＮＱＰ）メッセージ上で搬送されるインターネットプロトコル（ＩＰ）パケットによって通信されるサービス発見識別子を検出するためにサービス発見を実行することをさらに備える、請求項１３に記載の方法。
【請求項１８】
前記ワイヤレスデバイスの構成を再開始するようにとの再勧誘を前記プログラミングモジュールによって前記ワイヤレスデバイスに送ることをさらに備える、請求項１３に記載の方法。
【請求項１９】
前記アクセスポイントを介したネットワークの外部のデバイスとの通信のために構成すべき１つまたは複数の利用可能なワイヤレスデバイスを識別するために前記プログラミングモジュールによってサービス発見を実行することをさらに備える、請求項１に記載の方法。
【請求項２０】
前記アクセスポイントと前記ワイヤレスデバイスとが１つまたは複数の米国電気電子技術者協会（ＩＥＥＥ）８０２．１１規格に準拠する、請求項１に記載の方法。
【請求項２１】
ワイヤレスデバイスを自動的に構成するための装置であって、前記装置は、
プロセッサと、
受信されたプログラミング証明に基づいて前記ワイヤレスデバイスを認証することであって、前記プログラミング証明がサーバから受信される、認証することと、
前記ワイヤレスデバイスを認証した後に、前記ワイヤレスデバイスに認証成功メッセージを送ることであって、前記ワイヤレスデバイスが前記認証成功メッセージを受信した後にアンロックされ、アクセスポイントのアクセス証明のプログラミングが可能にされる、送ることと、
前記認証成功メッセージを送った後に、前記ワイヤレスデバイスにプログラミングメッセージを送ることであって、前記プログラミングメッセージが前記アクセスポイントの前記アクセス証明を含む、送ることと
を行うように前記プロセッサによって実行可能な命令を記憶しているメモリと
を備える、装置。
【請求項２２】
前記ワイヤレスデバイスは、前記プログラミングメッセージを受信した後、別のアクセスポイントのアクセス証明を用いた前記ワイヤレスデバイスのプログラミングをディスエーブルにするためにロックする、請求項２１に記載の装置。
【請求項２３】
ワイヤレスデバイスを自動的に構成するための装置であって、前記装置は、
サーバからプログラミング証明を受信するための手段と、
前記プログラミング証明に基づいて前記ワイヤレスデバイスを認証するための手段と、
前記ワイヤレスデバイスを認証した後に、前記ワイヤレスデバイスに認証成功メッセージを送るための手段であって、前記ワイヤレスデバイスが前記認証成功メッセージを受信した後にアクセスポイントのアクセス証明のプログラミングを可能にするためにアンロックする、送るための手段と、
前記認証成功メッセージを送った後に、前記ワイヤレスデバイスにプログラミングメッセージを送るための手段であって、前記プログラミングメッセージが前記アクセスポイントの前記アクセス証明を含む、送るための手段と
を備える、装置。
【請求項２４】
前記ワイヤレスデバイスは、前記プログラミングメッセージを受信した後、別のアクセスポイントのアクセス証明を用いた前記ワイヤレスデバイスのプログラミングをディスエーブルにするためにロックする、請求項２３に記載の装置。
【請求項２５】
プロセッサによって実行されるとき、前記プロセッサに、
受信されたプログラミング証明に基づいてワイヤレスデバイスを認証することであって、前記プログラミング証明がサーバから受信される、認証することと、
前記ワイヤレスデバイスを認証した後に、前記ワイヤレスデバイスに認証成功メッセージを送ることであって、前記ワイヤレスデバイスが前記認証成功メッセージを受信した後にアクセスポイントのアクセス証明のプログラミングを可能にするためにアンロックする、送ることと、
前記認証成功メッセージを送った後に、前記ワイヤレスデバイスにプログラミングメッセージを送ることであって、前記プログラミングメッセージが前記アクセスポイントの前記アクセス証明を含む、送ることと
を行わせるプログラムコードを含む非一時的コンピュータ可読媒体。
【請求項２６】
前記ワイヤレスデバイスは、前記プログラミングメッセージを受信した後、別のアクセスポイントのアクセス証明を用いた前記ワイヤレスデバイスのプログラミングをディスエーブルにするためにロックする、請求項２５に記載の非一時的コンピュータ可読媒体。
【請求項２７】
サーバにおいて、ワイヤレスデバイスのデバイス情報と加入者の加入情報とを受信することと、
前記デバイス情報と前記加入情報の両方に基づいてプログラミングモジュールにプログラミング証明を与えることであって、前記プログラミング証明が、前記ワイヤレスデバイスを認証するために使用される、与えることと
を備え、
認証成功メッセージが、前記ワイヤレスデバイスを認証した後に前記プログラミングモジュールから前記ワイヤレスデバイスに送られ、前記ワイヤレスデバイスが前記認証成功メッセージを受信した後に自動的にアクセスポイントのアクセス証明のプログラミングを可能にするためにアンロックし、プログラミングメッセージが、前記認証成功メッセージを送った後に自動的に前記プログラミングモジュールから前記ワイヤレスデバイスに送られ、前記プログラミングメッセージが、前記アクセスポイントの前記アクセス証明を含む
方法。
【請求項２８】
前記サーバが、トランザクション端末から前記デバイス情報と前記加入情報とを受信する、請求項２７に記載の方法。
【請求項２９】
前記プログラミングモジュールが前記認証成功メッセージおよび前記プログラミングメッセージを前記ワイヤレスデバイスに送ることを可能にするためのアプリケーションを前記プログラミングモジュールに与えることをさらに備える、請求項２７に記載の方法。
【請求項３０】
前記アクセスポイントの前記アクセス証明を用いた前記ワイヤレスデバイスの前記プログラミングの後に前記アクセスポイントを介して前記ワイヤレスデバイスの動作を制御することをさらに備える、請求項２９に記載の方法。
【請求項３１】
前記サーバがスマートエネルギーサーバである、請求項２７に記載の方法。
【請求項３２】
前記スマートエネルギーサーバがＺｉｇＢｅｅ  Ｓｍａｒｔ  Ｅｎｅｒｇｙ規格をサポートする、請求項３１に記載の方法。
【請求項３３】
プロセッサと、
ワイヤレスデバイスのデバイス情報と加入者の加入情報との受信を検出することと、
前記デバイス情報と前記加入情報の両方に基づいてプログラミングモジュールにプログラミング証明を与えることであって、前記プログラミング証明が、前記ワイヤレスデバイスを認証するために使用され、認証成功メッセージが、前記ワイヤレスデバイスを認証した後に前記プログラミングモジュールから前記ワイヤレスデバイスに送られ、前記ワイヤレスデバイスが前記認証成功メッセージを受信した後に自動的にアクセスポイントのアクセス証明のプログラミングを可能にするためにアンロックし、プログラミングメッセージが、前記認証成功メッセージを送った後に自動的に前記プログラミングモジュールから前記ワイヤレスデバイスに送られ、前記プログラミングメッセージが、前記アクセスポイントの前記アクセス証明を含む、与えることと
を行うように前記プロセッサによって実行可能な命令を記憶しているメモリと
を備える装置。
【請求項３４】
ワイヤレスデバイスを自動的に構成する方法であって、前記方法が、
前記ワイヤレスデバイスのプログラミングについての要求を含むプログラミング要求メッセージをプログラミングモジュールにおいて受信することと、
プログラミング証明を含む１つまたは複数の認証メッセージを前記ワイヤレスデバイスに送ることと、
前記ワイヤレスデバイスを認証した後に、前記プログラミングモジュールから前記ワイヤレスデバイスに認証成功メッセージを送ることであって、前記ワイヤレスデバイスが前記認証成功メッセージを受信した後にアクセスポイントのアクセス証明のプログラミングを可能にするためにアンロックする、送ることと、
前記認証成功メッセージを送った後に、前記プログラミングモジュールから前記ワイヤレスデバイスにプログラミングメッセージを送ることであって、前記プログラミングメッセージが前記アクセスポイントの前記アクセス証明を含む、送ることと
を備える、方法。
【請求項３５】
前記プログラミングモジュールは、
前記プログラミング証明に基づいて前記ワイヤレスデバイスの認証を実行することと、
前記アクセスポイントの前記アクセス証明を用いて前記ワイヤレスデバイスをプログラムすることであって、前記ワイヤレスデバイスが、別のアクセスポイントのアクセス証明を用いてプログラムされた前記プログラミングの後にロックされる、プログラムすることと
を行うように構成される、請求項３４に記載の方法。
【請求項３６】
前記プログラミングモジュールから前記プログラミングメッセージを受信した後、前記ワイヤレスデバイスは前記アクセスポイントとのローカル関連付けを完了する、請求項３５に記載の方法。
【請求項３７】
前記プログラミング要求メッセージと前記プログラミングメッセージとが認証許可およびアカウンティング（ＡＡＡ）プロトコルメッセージである、請求項３６に記載の方法。
【請求項３８】
前記プログラミングメッセージが１つまたは複数のデータパケット内で送られる、請求項３６に記載の方法。
【請求項３９】
前記プログラミング要求メッセージが前記ワイヤレスデバイスのデバイス固有情報をさらに含む、請求項３５に記載の方法。
【請求項４０】
デバイスプログラミング能力情報を含むサービス発見メッセージを前記ワイヤレスデバイスに送ることをさらに備える、請求項３４に記載の方法。
【請求項４１】
前記１つまたは複数の認証メッセージと前記プログラミングメッセージとが前記アクセスポイントを介して前記ワイヤレスデバイスに送られ、前記プログラミング要求メッセージが前記アクセスポイントを介して前記ワイヤレスデバイスから受信される、請求項３４に記載の方法。
【請求項４２】
前記１つまたは複数の認証メッセージと前記プログラミングメッセージとが、前記プログラミングモジュールと前記ワイヤレスデバイスとの間の直接ワイヤレス接続を介して前記ワイヤレスデバイスに送られ、前記プログラミング要求メッセージが、前記プログラミングモジュールと前記ワイヤレスデバイスとの間の前記直接ワイヤレス接続を介して前記ワイヤレスデバイスから受信される、請求項３４に記載の方法。
【請求項４３】
ワイヤレスデバイスを自動的に構成するための装置であって、前記装置は、
プロセッサと、
前記ワイヤレスデバイスのプログラミングについての要求を含むプログラミング要求メッセージの受信を検出することと、
プログラミング証明を含む１つまたは複数の認証メッセージの前記ワイヤレスデバイスへの送ることを開始することと、
前記ワイヤレスデバイスを認証した後に、前記ワイヤレスデバイスに認証成功メッセージを送ることを開始することであって、前記ワイヤレスデバイスが前記認証成功メッセージを受信した後にアクセスポイントのアクセス証明のプログラミングを可能にするためにアンロックする、開始することと、
前記認証成功メッセージを送った後に、前記ワイヤレスデバイスにプログラミングメッセージを送ることを開始することであって、前記プログラミングメッセージが前記アクセスポイントの前記アクセス証明を含む、開始することと
を行うように前記プロセッサによって実行可能な命令を記憶しているメモリと
を備える、装置。
【請求項４４】
ワイヤレスデバイスを自動的に構成するための装置であって、前記装置が、
前記ワイヤレスデバイスのプログラミングについての要求を含むプログラミング要求メッセージを受信するための手段と、
プログラミング証明を含む１つまたは複数の認証メッセージを前記ワイヤレスデバイスに送るための手段と、
前記ワイヤレスデバイスを認証した後に、前記ワイヤレスデバイスに認証成功メッセージを送るための手段であって、前記ワイヤレスデバイスが前記認証成功メッセージを受信した後にアクセスポイントのアクセス証明のプログラミングを可能にするためにアンロックする、送るための手段と、
前記認証成功メッセージを送った後に、前記ワイヤレスデバイスにプログラミングメッセージを送るための手段であって、前記プログラミングメッセージが前記アクセスポイントの前記アクセス証明を含む、送るための手段と
を備える、装置。
【請求項４５】
プロセッサによって実行されるとき、前記プロセッサに、
ワイヤレスデバイスのプログラミングについての要求を含むプログラミング要求メッセージの受信を検出することと、
プログラミング証明を含む１つまたは複数の認証メッセージの前記ワイヤレスデバイスへの送ることを開始することと、
前記ワイヤレスデバイスを認証した後に前記ワイヤレスデバイスに認証成功メッセージを送ることであって、前記ワイヤレスデバイスが前記認証成功メッセージを受信した後に自動的にアクセスポイントのアクセス証明のプログラミングを可能にするためにアンロックする、送ることと、
前記認証成功メッセージを送った後に自動的に、前記ワイヤレスデバイスにプログラミングメッセージを送ることであって、前記プログラミングメッセージが前記アクセスポイントの前記アクセス証明を含む、送ることと
を行わせるプログラムコードを含む非一時的コンピュータ可読媒体。
【請求項４６】
ワイヤレスデバイスを自動的に構成する方法であって、前記方法が、
デバイスプログラミング能力情報を含むサービス発見メッセージを前記ワイヤレスデバイスにおいて受信することと、
前記ワイヤレスデバイスのプログラミングについての要求を含むプログラミング要求メッセージをプログラミングモジュールに送ることと、
プログラミング証明を含む１つまたは複数の認証メッセージを前記ワイヤレスデバイスにおいて受信することと、
前記ワイヤレスデバイスを認証した後に、前記プログラミングモジュールからの認証成功メッセージの受信を検出することであって、前記ワイヤレスデバイスが前記認証成功メッセージの受信を検出した後に自動的にアクセスポイントのアクセス証明のプログラミングを可能にするためにアンロックする、検出することと、
前記認証成功メッセージの後に前記プログラミングモジュールから自動的に送られたプログラミングメッセージの受信を検出することと、前記プログラミングメッセージが前記アクセスポイントの前記アクセス証明を含む、検出することと
を備える、方法。
【請求項４７】
前記ワイヤレスデバイスが、前記プログラミングモジュールから前記プログラミングメッセージを受信した後、別のアクセスポイントのアクセス証明を用いた前記ワイヤレスデバイスのプログラミングをディスエーブルにするためにロックする、請求項４６に記載の方法。
【請求項４８】
前記プログラミングモジュールから前記プログラミングメッセージを受信した後、前記ワイヤレスデバイスは前記アクセスポイントとのローカル関連付けを完了する、請求項４７に記載の方法。
【請求項４９】
前記プログラミング要求メッセージが少なくとも１つの認証フレーム内で送られる、請求項４６に記載の方法。
【請求項５０】
前記１つまたは複数のプログラミングメッセージが１つまたは複数の認証フレーム内で受信される、請求項４６に記載の方法。
【請求項５１】
前記１つまたは複数のプログラミングメッセージが１つまたは複数のデータフレーム内で受信される、請求項４６に記載の方法。
【請求項５２】
前記サービス発見メッセージが、ビーコン、公開アクションフレーム、プローブ要求メッセージ、またはそれらの任意の組合せを使用して受信される、請求項４６に記載の方法。
【請求項５３】
プロセッサと、
デバイスプログラミング能力情報を含むサービス発見メッセージの受信を検出することと、
プログラミングについての要求を含むプログラミング要求メッセージのプログラミングモジュールへの送ることを開始することと、
プログラミング証明を含む１つまたは複数の認証メッセージの受信を検出することと、
前記プログラミングモジュールからの認証成功メッセージの受信を検出することと、
前記認証成功メッセージの受信を検出した後に自動的にアクセスポイントのアクセス証明のプログラミングを可能にするためにアンロックすることと、
前記認証成功メッセージの後に前記プログラミングモジュールから自動的に送られたプログラミングメッセージの受信を検出することであって、前記プログラミングメッセージが前記アクセスポイントの前記アクセス証明を含む、検出することと
を行うように前記プロセッサによって実行可能な命令を記憶しているメモリと
を備えるワイヤレスデバイス。
【請求項５４】
ワイヤレスデバイスを自動的に構成する方法であって、前記方法は、
前記ワイヤレスデバイスを識別するためにプログラミングデバイスによってサービス発見を実行することであって、前記プログラミングデバイスがプログラミングモジュールを含む、実行することと、
前記プログラミングデバイスと前記ワイヤレスデバイスとの間に前記プログラミングデバイスによってワイヤレス接続を確立することと、
プログラミング証明に基づいて前記ワイヤレスデバイスを認証することと、
前記ワイヤレスデバイスを認証した後に、前記プログラミングデバイスから前記ワイヤレスデバイスに認証成功メッセージを送ることであって、前記ワイヤレスデバイスが前記認証成功メッセージを受信した後にアクセスポイントのアクセス証明のプログラミングを可能にするためにアンロックする、送ることと、
前記認証成功メッセージを送った後に、前記プログラミングデバイスから前記ワイヤレスデバイスにプログラミングメッセージを送ることであって、前記プログラミングメッセージが前記アクセスポイントの前記アクセス証明を含む、送ることと
を備える、方法。
【請求項５５】
前記ワイヤレスデバイスは、前記プログラミングモジュールから前記プログラミングメッセージを受信した後、別のアクセスポイントのアクセス証明を用いた前記ワイヤレスデバイスのプログラミングをディスエーブルにするためにロックする、請求項５４に記載の方法。
【請求項５６】
前記ワイヤレスデバイスは、前記プログラミングモジュールが前記プログラミングデバイスと前記ワイヤレスデバイスとの間の前記ワイヤレス接続を確立することを可能にするためのアクセスポイントとして動作するように構成される、請求項５４に記載の方法。
【請求項５７】
前記ワイヤレス接続がピアツーピアワイヤレス接続であり、前記プログラミングモジュールから前記プログラミングメッセージを受信した後、前記ワイヤレスデバイスは前記アクセスポイントとのローカル関連付けを完了する、請求項５４に記載の方法。
【請求項５８】
前記プログラミングデバイスが、前記プログラミング証明を取得するように構成される、請求項５７に記載の方法。
【請求項５９】
前記プログラミングデバイスが、前記プログラミング証明を取得するように実行可能であるアプリケーションに基づいて前記プログラミング証明を取得するように構成される、請求項５８に記載の方法。
【請求項６０】
前記プログラミング証明が、デバイス識別子、前記ワイヤレスデバイスのパスフレーズ、デジタル証明書、またはそれらの組合せを含む、請求項５４に記載の方法。
【請求項６１】
前記アクセス証明が、前記アクセスポイントのサービスセット識別子（ＳＳＩＤ）と前記アクセスポイントのパスフレーズとのうちの１つまたは複数を含む、請求項６０に記載の方法。
【請求項６２】
前記ワイヤレスデバイスが、家庭用電気器具、測定値を取るように構成された計測器、モバイルデバイス、カメラ、マルチメディアプレーヤ、エンターテインメントユニット、ナビゲーションデバイス、またはそれらの任意の組合せである、請求項５４に記載の方法。
【請求項６３】
ワイヤレスデバイスを自動的に構成するための装置であって、前記装置は、
プロセッサと、
前記ワイヤレスデバイスを識別するためにサービス発見を実行することと、
前記ワイヤレスデバイスとのワイヤレス接続を確立することと、
プログラミング証明に基づいて前記ワイヤレスデバイスを認証することと、
前記ワイヤレスデバイスを認証した後に、前記ワイヤレスデバイスに認証成功メッセージを送ることであって、前記ワイヤレスデバイスは前記認証成功メッセージを受信した後にアンロックされ、アクセスポイントのアクセス証明のプログラミングが可能にされる、送ることと、
前記認証成功メッセージを送った後に、前記ワイヤレスデバイスにプログラミングメッセージを送ることであって、前記プログラミングメッセージが前記アクセスポイントの前記アクセス証明を含む、送ることと
を行うように前記プロセッサによって実行可能な命令を記憶しているメモリと
を備える、装置。
【請求項６４】
ワイヤレスデバイスを自動的に構成するための装置であって、前記装置は、
前記ワイヤレスデバイスを識別するためにサービス発見を実行するための手段と、
プログラミングモジュールを含むプログラミングデバイスと前記ワイヤレスデバイスとの間のワイヤレス接続を確立するための手段と、
プログラミング証明に基づいて前記ワイヤレスデバイスを認証するための手段と、
前記ワイヤレスデバイスを認証した後に、前記プログラミングデバイスから前記ワイヤレスデバイスに認証成功メッセージを送るための手段であって、前記ワイヤレスデバイスは前記認証成功メッセージを受信した後にアンロックされ、アクセスポイントのアクセス証明のプログラミングが可能にされる、送るための手段と、
前記認証成功メッセージを送った後に、前記プログラミングデバイスから前記ワイヤレスデバイスにプログラミングメッセージを送るための手段であって、前記プログラミングメッセージが前記アクセスポイントの前記アクセス証明を含む、送るための手段と
を備える、装置。
【請求項６５】
プロセッサによって実行されるとき、前記プロセッサに、
ワイヤレスデバイスを識別するためにサービス発見を実行することと、
前記ワイヤレスデバイスとのワイヤレス接続を確立することと、
プログラミング証明に基づいて前記ワイヤレスデバイスを認証することと、
前記ワイヤレスデバイスを認証した後に、前記ワイヤレスデバイスに認証成功メッセージを送ることであって、前記ワイヤレスデバイスは前記認証成功メッセージを受信した後に自動的にアンロックされ、アクセスポイントのアクセス証明のプログラミングを可能にする、送ることと、
前記認証成功メッセージを送った後に自動的に前記ワイヤレスデバイスにプログラミングメッセージを送ることであって、前記プログラミングメッセージが前記アクセスポイントの前記アクセス証明を含む、送ることと
を行わせるプログラムコードを含む非一時的コンピュータ可読媒体。
【手続補正２】
【補正対象書類名】明細書
【補正対象項目名】０１１６
【補正方法】変更
【補正の内容】
【０１１６】
開示した実施形態の上記の説明は、開示した実施形態を当業者が作成または使用することができるように与えられる。これらの実施形態への様々な変更は当業者には容易に明らかになり、本明細書で定義された原理は本開示の範囲から逸脱することなく他の実施形態に適用され得る。したがって、本開示は、本明細書で開示する実施形態に限定されるものではなく、以下の特許請求の範囲によって定義される原理および新規の特徴と合致することが可能な最も広い範囲が与えられるべきものである。
以下に、本願出願の当初の特許請求の範囲に記載された発明を付記する。
［Ｃ１］
ワイヤレスデバイスを自動的に構成する方法であって、前記方法は、
プログラミングモジュールにおいてサーバからプログラミング証明を受信することと、
前記プログラミング証明に基づいて前記ワイヤレスデバイスを認証することと、
前記ワイヤレスデバイスがネットワークのアクセスポイントを介して前記ネットワークの外部のデバイスと通信することを可能にするために前記アクセスポイントのアクセス証明を用いて前記ワイヤレスデバイスをプログラムすることとを備える、方法。
［Ｃ２］
前記プログラミング証明に基づいて前記ワイヤレスデバイスを認証することが、前記アクセス証明を用いた前記ワイヤレスデバイスの前記プログラミングを可能にするために前記ワイヤレスデバイスをアンロックする、Ｃ１に記載の方法。
［Ｃ３］
前記プログラミングモジュールが、前記アクセスポイントを介して認証メッセージを前記ワイヤレスデバイスと交換することによって前記ワイヤレスデバイスを認証する、Ｃ２に記載の方法。
［Ｃ４］
前記プログラミング証明が共有鍵を含む、Ｃ３に記載の方法。
［Ｃ５］
前記プログラミング証明がデジタル証明書を含む、Ｃ３に記載の方法。
［Ｃ６］
前記プログラミング証明がユーザ名とパスワードとを含む、Ｃ３に記載の方法。
［Ｃ７］
前記プログラミング証明が、加入者識別モジュール（ＳＩＭ）内に記憶された情報を含む、Ｃ３に記載の方法。
［Ｃ８］
前記アクセス証明が、前記アクセスポイントのサービスセット識別子（ＳＳＩＤ）と、前記アクセスポイントのパスフレーズとを含む、Ｃ３に記載の方法。
［Ｃ９］
前記プログラミングモジュールが、前記アクセスポイントから前記アクセス証明を受信するように構成された、Ｃ８に記載の方法。
［Ｃ１０］
前記アクセス証明がプログラミングモジュールに入力される、Ｃ８に記載の方法。
［Ｃ１１］
前記プログラミングモジュールと前記アクセスポイントとが、アクセスポイント機能とプログラミングモジュール機能とを実行するように構成された単一のデバイスに統合される、Ｃ２に記載の方法。
［Ｃ１２］
前記ワイヤレスデバイスを認証するより前に前記プログラミングモジュールと前記アクセスポイントとの間にセキュアな接続を確立することをさらに備える、Ｃ１に記載の方法。
［Ｃ１３］
前記ワイヤレスデバイスの構成を開始するようにとの勧誘を前記プログラミングモジュールによって前記ワイヤレスデバイスに送ることをさらに備える、Ｃ１に記載の方法。
［Ｃ１４］
前記勧誘が、ビーコンまたは一般広告サービス（ＧＡＳ）フレームまたはプローブ応答メッセージを使用して前記プログラミングモジュールによって送られる、Ｃ１３に記載の方法。
［Ｃ１５］
前記プログラミングモジュールによって前記ワイヤレスデバイスの構成が開始される前に前記ワイヤレスデバイスによって前記ネットワークを発見することをさらに備える、Ｃ１３に記載の方法。
［Ｃ１６］
前記ワイヤレスデバイスが、前記ネットワークを発見するためにプローブ要求メッセージまたはアクセスネットワーククエリプロトコル（ＡＮＱＰ）メッセージを使用するように適応される、Ｃ１５に記載の方法。
［Ｃ１７］
１つまたは複数のビーコンフレーム、一般広告サービス（ＧＡＳ）フレーム、あるいはアクセスネットワーククエリプロトコル（ＡＮＱＰ）メッセージ上で搬送されるインターネットプロトコル（ＩＰ）パケットによって通信されるサービス発見識別子を検出するためにサービス発見を実行することをさらに備える、Ｃ１３に記載の方法。
［Ｃ１８］
前記ワイヤレスデバイスの構成を再開始するようにとの再勧誘を前記プログラミングモジュールによって前記ワイヤレスデバイスに送ることをさらに備える、Ｃ１３に記載の方法。
［Ｃ１９］
前記アクセスポイントを介した前記ネットワークの外部の前記デバイスとの通信のために構成すべき１つまたは複数の利用可能なワイヤレスデバイスを識別するために前記プログラミングモジュールによってサービス発見を実行することをさらに備える、Ｃ１に記載の方法。
［Ｃ２０］
前記アクセスポイントと前記ワイヤレスデバイスとが１つまたは複数の米国電気電子技術者協会（ＩＥＥＥ）８０２．１１規格に準拠する、Ｃ１に記載の方法。
［Ｃ２１］
ワイヤレスデバイスを自動的に構成するための装置であって、前記装置は、
プロセッサと、
受信されたプログラミング証明に基づいて前記ワイヤレスデバイスを認証することであって、前記プログラミング証明がサーバから受信される、認証することと、
前記ワイヤレスデバイスがネットワークのアクセスポイントを介して前記ネットワークの外部の１つまたは複数のデバイスと通信することを可能にするために前記アクセスポイントのアクセス証明を用いて前記ワイヤレスデバイスをプログラムすることと
を行うように前記プロセッサによって実行可能な命令を記憶しているメモリとを備える、装置。
［Ｃ２２］
前記プログラミング証明に基づいて前記ワイヤレスデバイスを認証することが、前記アクセス証明を用いた前記ワイヤレスデバイスの前記プログラミングを可能にするために前記ワイヤレスデバイスをアンロックする、Ｃ２１に記載の装置。
［Ｃ２３］
ワイヤレスデバイスを自動的に構成するための装置であって、前記装置は、
サーバからプログラミング証明を受信するための手段と、
前記プログラミング証明に基づいて前記ワイヤレスデバイスを認証するための手段と、
前記ワイヤレスデバイスがネットワークのアクセスポイントを介して前記ネットワークの外部の１つまたは複数のデバイスと通信することを可能にするために前記アクセスポイントのアクセス証明を用いて前記ワイヤレスデバイスをプログラムするための手段とを備える、装置。
［Ｃ２４］
前記プログラミング証明に基づいて前記ワイヤレスデバイスを認証することが、前記アクセス証明を用いた前記ワイヤレスデバイスの前記プログラミングを可能にするために前記ワイヤレスデバイスをアンロックする、Ｃ２３に記載の装置。
［Ｃ２５］
プロセッサによって実行されるとき、前記プロセッサに、
受信されたプログラミング証明に基づいて前記ワイヤレスデバイスを認証することであって、前記プログラミング証明がサーバから受信される、認証することと、
前記ワイヤレスデバイスが前記ネットワークのアクセスポイントを介して前記ネットワークの外部の１つまたは複数のデバイスと通信することを可能にするために前記アクセスポイントのアクセス証明を用いて前記ワイヤレスデバイスをプログラムすることとを行わせるプログラムコードを含む非一時的コンピュータ可読媒体。
［Ｃ２６］
前記プログラミング証明に基づいて前記ワイヤレスデバイスを認証することが、前記アクセス証明を用いた前記ワイヤレスデバイスの前記プログラミングを可能にするために前記ワイヤレスデバイスをアンロックする、Ｃ２５に記載の非一時的コンピュータ可読媒体。
［Ｃ２７］
ワイヤレスデバイスを自動的に構成する方法であって、前記方法は、
プログラミングモジュールを識別するために前記ワイヤレスデバイスによってサービス発見を実行することと、
第１のデバイス公開鍵を含むプローブ要求を前記プログラミングモジュールに送ることと、
前記第１のデバイス公開鍵と第２のデバイス公開鍵との間の一致の指示を含むプローブ応答を前記プログラミングモジュールから受信することとを備える、方法。
［Ｃ２８］
前記第１のデバイス公開鍵と前記第２のデバイス公開鍵との間の前記一致の前記指示が、前記プログラミングモジュールによって前記ワイヤレスデバイスの構成を開始するようにとの前記プログラミングモジュールから前記ワイヤレスデバイスへの勧誘を含む、Ｃ２７に記載の方法。
［Ｃ２９］
前記ワイヤレスデバイスが、ビーコン、公開アクションフレーム、プローブ要求メッセージ、またはそれらの任意の組合せに基づいて前記サービス発見を実行するように構成された、Ｃ２７に記載の方法。
［Ｃ３０］
前記ワイヤレスデバイスが、プログラミング証明に基づいて前記プログラミングモジュールによって認証されるように構成され、前記ワイヤレスデバイスが、ネットワークのアクセスポイントのアクセス証明を用いて前記プログラミングモジュールによってプログラムされるように構成される、Ｃ２７に記載の方法。
［Ｃ３１］
前記プログラミング証明に基づく前記ワイヤレスデバイスの認証が前記ワイヤレスデバイスをアンロックし、前記ワイヤレスデバイスをアンロックすることが、前記ネットワークの前記アクセスポイントのアクセス証明を用いた前記ワイヤレスデバイスのプログラミングを可能にする、Ｃ３０に記載の方法。
［Ｃ３２］
前記アクセスポイントの前記アクセス証明を用いて前記ワイヤレスデバイスをプログラムすることが、前記ネットワークの外部にあるデバイスと通信するように前記ワイヤレスデバイスを構成する、Ｃ３１に記載の方法。
［Ｃ３３］
前記ワイヤレスデバイスを前記ネットワークの前記アクセスポイントに関連付けることをさらに備える、Ｃ３１に記載の方法。
［Ｃ３４］
前記サービス発見が、前記ワイヤレスデバイスの電源投入に応答して実行される、Ｃ２７に記載の方法。
［Ｃ３５］
プロセッサと、
プログラミングモジュールを識別するためにサービス発見を実行することと、
第１のデバイス公開鍵を含むプローブ要求を前記プログラミングモジュールに送ることを開始することと、
前記第１のデバイス公開鍵と第２のデバイス公開鍵との間の一致の指示を含むプローブ応答の受信を検出することと
を行うように前記プロセッサによって実行可能な命令を記憶しているメモリとを備えるワイヤレスデバイス。
［Ｃ３６］
前記ワイヤレスデバイスが、ビーコン、公開アクションフレーム、プローブ要求メッセージ、またはそれらの任意の組合せに基づいて前記サービス発見を実行するように構成される、Ｃ３５に記載のワイヤレスデバイス。
［Ｃ３７］
前記プロセッサが、家庭用電気器具、測定値を取るように構成された計測器、モバイルデバイス、カメラ、マルチメディアプレーヤ、エンターテインメントユニット、ナビゲーションデバイス、またはそれらの任意の組合せに統合される、Ｃ３５に記載のワイヤレスデバイス。
［Ｃ３８］
プログラミングモジュールを識別するためにワイヤレスデバイスによってサービス発見を実行するための手段と、
第１のデバイス公開鍵を含むプローブ要求を前記プログラミングモジュールに送るための手段と、
前記第１のデバイス公開鍵と第２のデバイス公開鍵との間の一致の指示を含むプローブ応答を前記プログラミングモジュールから受信するための手段とを備えるワイヤレスデバイス。
［Ｃ３９］
前記ワイヤレスデバイスが、ビーコン、公開アクションフレーム、プローブ要求メッセージ、またはそれらの任意の組合せに基づいて前記サービス発見を実行するように構成される、Ｃ３８に記載のワイヤレスデバイス。
［Ｃ４０］
プロセッサによって実行されるとき、前記プロセッサに、
プログラミングモジュールを識別するためにワイヤレスデバイスにおいてサービス発見を実行することと、
第１のデバイス公開鍵を含むプローブ要求を前記プログラミングモジュールに送ることを開始することと、
前記第１のデバイス公開鍵と第２のデバイス公開鍵との間の一致の指示を含むプローブ応答の受信を検出することとを行わせるプログラムコードを含む非一時的コンピュータ可読媒体。
［Ｃ４１］
前記ワイヤレスデバイスが、プログラミング証明に基づいて前記プログラミングモジュールによって認証されるように構成され、前記ワイヤレスデバイスが、ネットワークのアクセスポイントのアクセス証明を用いて前記プログラミングモジュールによってプログラムされるように構成される、Ｃ４０に記載の非一時的コンピュータ可読媒体。
［Ｃ４２］
サーバにおいて、ワイヤレスデバイスのデバイス情報と加入者の加入情報とを受信することと、
前記デバイス情報と前記加入情報の両方に基づいてプログラミングモジュールにプログラミング証明を与えることであって、前記プログラミング証明が、ネットワークのアクセスポイントのアクセス証明を用いた前記ワイヤレスデバイスのプログラミングを可能にするために前記ワイヤレスデバイスを認証するために使用される、与えることとを備える方法。
［Ｃ４３］
前記サーバが、トランザクション端末から前記デバイス情報と前記加入情報とを受信する、Ｃ４２に記載の方法。
［Ｃ４４］
前記プログラミングモジュールが前記ワイヤレスデバイスの前記認証と前記プログラミングとを実行することを可能にするためのアプリケーションを前記プログラミングモジュールに与えることをさらに備える、Ｃ４２に記載の方法。
［Ｃ４５］
前記アクセスポイントの前記アクセス証明を用いた前記ワイヤレスデバイスの前記プログラミングの後に前記ネットワークの前記アクセスポイントを介して前記ワイヤレスデバイスの動作を制御することをさらに備える、Ｃ４４に記載の方法。
［Ｃ４６］
前記サーバがスマートエネルギーサーバである、Ｃ４２に記載の方法。
［Ｃ４７］
前記スマートエネルギーサーバがＺｉｇＢｅｅＳｍａｒｔＥｎｅｒｇｙ規格をサポートする、Ｃ４６に記載の方法。
［Ｃ４８］
プロセッサと、
ワイヤレスデバイスのデバイス情報と加入者の加入情報との受信を検出することと、
前記デバイス情報と前記加入情報の両方に基づいてプログラミングモジュールにプログラミング証明を与えることであって、前記プログラミング証明が、アクセスポイントのアクセス証明を用いた前記ワイヤレスデバイスのプログラミングを可能にするために前記ワイヤレスデバイスを認証するために使用される、与えることと
を行うように前記プロセッサによって実行可能な命令を記憶しているメモリとを備える装置。
［Ｃ４９］
ワイヤレスデバイスを自動的に構成する方法であって、前記方法が、
前記ワイヤレスデバイスのプログラミングについての要求を含むプログラミング要求メッセージをプログラミングモジュールにおいて受信することと、
プログラミング証明を含む１つまたは複数の認証メッセージを前記ワイヤレスデバイスに送ることと、
ネットワークのアクセスポイントのアクセス証明を含む１つまたは複数のプログラミングメッセージを前記ワイヤレスデバイスに送ることとを備える、方法。
［Ｃ５０］
前記プログラミングモジュールは、
前記プログラミング証明に基づいて前記ワイヤレスデバイスの認証を実行することであって、前記プログラミング証明に基づく前記ワイヤレスデバイスの前記認証が、前記アクセス証明を用いたプログラミングのために前記ワイヤレスデバイスをアンロックする、実行することと、
前記アクセスポイントの前記アクセス証明を用いて前記ワイヤレスデバイスをプログラムすることとを行うように構成される、Ｃ４９に記載の方法。
［Ｃ５１］
前記ワイヤレスデバイスから少なくとも１つの認証メッセージを前記プログラミングモジュールにおいて受信することと、
前記プログラミングモジュールによる前記ワイヤレスデバイスの前記認証を示す認証成功メッセージを前記ワイヤレスデバイスに送ることとをさらに備える、Ｃ５０に記載の方法。
［Ｃ５２］
前記プログラミング要求メッセージと前記１つまたは複数のプログラミングメッセージとが認証許可およびアカウンティング（ＡＡＡ）プロトコルメッセージである、Ｃ５１に記載の方法。
［Ｃ５３］
前記１つまたは複数のプログラミングメッセージが１つまたは複数のデータパケット内で送られる、Ｃ５１に記載の方法。
［Ｃ５４］
前記プログラミング要求メッセージが前記ワイヤレスデバイスのデバイス固有情報をさらに含む、Ｃ５０に記載の方法。
［Ｃ５５］
デバイスプログラミング能力情報を含むサービス発見メッセージを前記ワイヤレスデバイスに送ることをさらに備える、Ｃ４９に記載の方法。
［Ｃ５６］
前記１つまたは複数の認証メッセージと前記１つまたは複数のプログラミングメッセージとが前記アクセスポイントを介して前記ワイヤレスデバイスに送られ、前記プログラミング要求メッセージが前記アクセスポイントを介して前記ワイヤレスデバイスから受信される、Ｃ４９に記載の方法。
［Ｃ５７］
前記１つまたは複数の認証メッセージと前記１つまたは複数のプログラミングメッセージとが、前記プログラミングモジュールと前記ワイヤレスデバイスとの間の直接ワイヤレス接続を介して前記ワイヤレスデバイスに送られ、前記プログラミング要求メッセージが、前記プログラミングモジュールと前記ワイヤレスデバイスとの間の前記直接ワイヤレス接続を介して前記ワイヤレスデバイスから受信される、Ｃ４９に記載の方法。
［Ｃ５８］
ワイヤレスデバイスを自動的に構成するための装置であって、前記装置は、
プロセッサと、
前記ワイヤレスデバイスのプログラミングについての要求を含むプログラミング要求メッセージの受信を検出することと、
プログラミング証明を含む１つまたは複数の認証メッセージの前記ワイヤレスデバイスへの送ることを開始することと、
ネットワークのアクセスポイントのアクセス証明を含む１つまたは複数のプログラミングメッセージの前記ワイヤレスデバイスへの送ることを開始することと
を行うように前記プロセッサによって実行可能な命令を記憶しているメモリとを備える、装置。
［Ｃ５９］
ワイヤレスデバイスを自動的に構成するための装置であって、前記装置が、
前記ワイヤレスデバイスのプログラミングについての要求を含むプログラミング要求メッセージを受信するための手段と、
プログラミング証明を含む１つまたは複数の認証メッセージを前記ワイヤレスデバイスに送るための手段と、
ネットワークのアクセスポイントのアクセス証明を含む１つまたは複数のプログラミングメッセージを前記ワイヤレスデバイスに送るための手段とを備える、装置。
［Ｃ６０］
プロセッサによって実行されるとき、前記プロセッサに、
前記ワイヤレスデバイスのプログラミングについての要求を含むプログラミング要求メッセージの受信を検出することと、
プログラミング証明を含む１つまたは複数の認証メッセージの前記ワイヤレスデバイスへの送ることを開始することと、
ネットワークのアクセスポイントのアクセス証明を含む１つまたは複数のプログラミングメッセージの前記ワイヤレスデバイスへの送ることを開始することとを行わせるプログラムコードを含む非一時的コンピュータ可読媒体。
［Ｃ６１］
ワイヤレスデバイスを自動的に構成する方法であって、前記方法が、
デバイスプログラミング能力情報を含むサービス発見メッセージを前記ワイヤレスデバイスにおいて受信することと、
前記ワイヤレスデバイスのプログラミングについての要求を含むプログラミング要求メッセージをプログラミングモジュールに送ることと、
プログラミング証明を含む１つまたは複数の認証メッセージを前記ワイヤレスデバイスにおいて受信することと、
ネットワークのアクセスポイントのアクセス証明を含む１つまたは複数のプログラミングメッセージを前記ワイヤレスデバイスにおいて受信することとを備える、方法。
［Ｃ６２］
前記ワイヤレスデバイスが、前記プログラミング証明に基づいて前記プログラミングモジュールによって認証されるように構成され、前記プログラミング証明に基づく前記ワイヤレスデバイスの認証が、前記アクセス証明を用いたプログラミングのために前記ワイヤレスデバイスをアンロックし、前記ワイヤレスデバイスが、前記アクセスポイントの前記アクセス証明を用いて前記プログラミングモジュールによってプログラムされるように構成される、Ｃ６１に記載の方法。
［Ｃ６３］
前記ワイヤレスデバイスによって前記プログラミングモジュールに少なくとも１つの認証メッセージを送ることと、
前記ワイヤレスデバイスにおいて前記プログラミングモジュールから認証成功メッセージを受信することであって、前記認証成功メッセージが前記プログラミングモジュールによる前記ワイヤレスデバイスの前記認証を示す、受信することとをさらに備える、Ｃ６２に記載の方法。
［Ｃ６４］
前記プログラミング要求メッセージが少なくとも１つの認証フレーム内で送られる、Ｃ６１に記載の方法。
［Ｃ６５］
前記１つまたは複数のプログラミングメッセージが１つまたは複数の認証フレーム内で受信される、Ｃ６１に記載の方法。
［Ｃ６６］
前記１つまたは複数のプログラミングメッセージが１つまたは複数のデータフレーム内で受信される、Ｃ６１に記載の方法。
［Ｃ６７］
前記サービス発見メッセージが、ビーコン、公開アクションフレーム、プローブ要求メッセージ、またはそれらの任意の組合せを使用して受信される、Ｃ６１に記載の方法。
［Ｃ６８］
プロセッサと、
デバイスプログラミング能力情報を含むサービス発見メッセージの受信を検出することと、
プログラミングについての要求を含むプログラミング要求メッセージのプログラミングモジュールへの送ることを開始することと、
プログラミング証明を含む１つまたは複数の認証メッセージの受信を検出することと、
ネットワークのアクセスポイントのアクセス証明を含む１つまたは複数のプログラミングメッセージの受信を検出することと
を行うように前記プロセッサによって実行可能な命令を記憶しているメモリとを備えるワイヤレスデバイス。
［Ｃ６９］
ワイヤレスデバイスを自動的に構成する方法であって、前記方法は、
前記ワイヤレスデバイスを識別するためにプログラミングデバイスによってサービス発見を実行することであって、前記プログラミングデバイスがプログラミングモジュールを含む、実行することと、
前記プログラミングデバイスと前記ワイヤレスデバイスとの間に前記プログラミングデバイスによってワイヤレス接続を確立することと、
プログラミング証明に基づいて前記ワイヤレスデバイスを認証することと、
前記ワイヤレスデバイスがネットワークのアクセスポイントを介して前記ネットワークの外部の１つまたは複数のデバイスと通信することを可能にするために前記アクセスポイントのアクセス証明を用いて前記ワイヤレスデバイスをプログラムすることとを備える、方法。
［Ｃ７０］
前記プログラミング証明に基づいて前記ワイヤレスデバイスを認証することが、前記アクセス証明を用いた前記ワイヤレスデバイスの前記プログラミングを可能にするために前記ワイヤレスデバイスをアンロックする、Ｃ６９に記載の方法。
［Ｃ７１］
前記ワイヤレスデバイスは、前記プログラミングモジュールが前記プログラミングデバイスと前記ワイヤレスデバイスとの間の前記ワイヤレス接続を確立することを可能にするためのアクセスポイントとして動作するように構成される、Ｃ７０に記載の方法。
［Ｃ７２］
前記ワイヤレス接続がピアツーピアワイヤレス接続である、Ｃ７０に記載の方法。
［Ｃ７３］
前記プログラミングデバイスが、前記プログラミング証明を取得するように構成される、Ｃ７２に記載の方法。
［Ｃ７４］
前記プログラミングデバイスが、前記プログラミング証明を取得するように実行可能であるアプリケーションに基づいて前記プログラミング証明を取得するように構成される、Ｃ７３に記載の方法。
［Ｃ７５］
前記プログラミング証明が、デバイス識別子、前記ワイヤレスデバイスのパスフレーズ、デジタル証明書、またはそれらの組合せを含む、Ｃ６９に記載の方法。
［Ｃ７６］
前記アクセス証明が、前記アクセスポイントのサービスセット識別子（ＳＳＩＤ）と前記アクセスポイントのパスフレーズとのうちの１つまたは複数を含む、Ｃ７５に記載の方法。
［Ｃ７７］
前記ワイヤレスデバイスが、家庭用電気器具、測定値を取るように構成された計測器、モバイルデバイス、カメラ、マルチメディアプレーヤ、エンターテインメントユニット、ナビゲーションデバイス、またはそれらの任意の組合せである、Ｃ６９に記載の方法。
［Ｃ７８］
ワイヤレスデバイスを自動的に構成するための装置であって、前記装置は、
プロセッサと、
前記ワイヤレスデバイスを識別するためにサービス発見を実行することと、
前記ワイヤレスデバイスとのワイヤレス接続を確立することと、
プログラミング証明に基づいて前記ワイヤレスデバイスを認証することと、
前記ワイヤレスデバイスがネットワークのアクセスポイントを介して前記ネットワークの外部の１つまたは複数のデバイスと通信することを可能にするために前記アクセスポイントのアクセス証明を用いて前記ワイヤレスデバイスをプログラムすることと
を行うように前記プロセッサによって実行可能な命令を記憶しているメモリとを備える、装置。
［Ｃ７９］
ワイヤレスデバイスを自動的に構成するための装置であって、前記装置は、
前記ワイヤレスデバイスを識別するためにサービス発見を実行するための手段と、
プログラミングモジュールを含むプログラミングデバイスと前記ワイヤレスデバイスとの間のワイヤレス接続を確立するための手段と、
プログラミング証明に基づいて前記ワイヤレスデバイスを認証するための手段と、
前記ワイヤレスデバイスがネットワークのアクセスポイントを介して前記ネットワークの外部の１つまたは複数のデバイスと通信することを可能にするために前記アクセスポイントのアクセス証明を用いて前記ワイヤレスデバイスをプログラムするための手段とを備える、装置。
［Ｃ８０］
プロセッサによって実行されるとき、前記プロセッサに、
ワイヤレスデバイスを識別するためにサービス発見を実行することと、
前記ワイヤレスデバイスとのワイヤレス接続を確立することと、
プログラミング証明に基づいて前記ワイヤレスデバイスを認証することと、
前記ワイヤレスデバイスがネットワークのアクセスポイントを介して前記ネットワークの外部のデバイスと通信することを可能にするために前記アクセスポイントのアクセス証明を用いて前記ワイヤレスデバイスをプログラムすることとを行わせるプログラムコードを含む非一時的コンピュータ可読媒体。
［Ｃ８１］
ワイヤレスデバイスを自動的に構成する方法であって、前記方法が、
プログラミングデバイスを識別するために前記ワイヤレスデバイスによってサービス発見を実行することと、
前記プログラミングデバイスとのワイヤレス接続を確立することと、
第１のデバイス公開鍵を含むプローブ要求を前記プログラミングデバイスに送ることと、
前記第１のデバイス公開鍵と第２のデバイス公開鍵との間の一致の指示を含むプローブ応答を前記プログラミングデバイスから受信することとを備える、方法。
［Ｃ８２］
前記プログラミングデバイスがプログラミングモジュールを含み、前記ワイヤレスデバイスが、プログラミング証明に基づいて前記プログラミングモジュールによって認証されるように構成され、前記ワイヤレスデバイスが、ネットワークのアクセスポイントのアクセス証明を用いて前記プログラミングモジュールによってプログラムされるように構成され、前記プログラミング証明に基づく前記ワイヤレスデバイスの認証が、前記ネットワークの前記アクセスポイントのアクセス証明を用いた前記ワイヤレスデバイスのプログラミングを可能にするために前記ワイヤレスデバイスをアンロックする、Ｃ８１に記載の方法。
［Ｃ８３］
前記ワイヤレスデバイスは、前記プログラミングデバイスが前記ワイヤレス接続を確立することを可能にするためのアクセスポイントとして動作するように構成される、Ｃ８２に記載の方法。
［Ｃ８４］
前記ワイヤレス接続がピアツーピアワイヤレス接続である、Ｃ８２に記載の方法。
［Ｃ８５］
プロセッサと、
プログラミングモジュールを含むプログラミングデバイスを識別するためにワイヤレスデバイスによってサービス発見を実行することと、
前記プログラミングデバイスとのワイヤレス接続を確立することと、
第１のデバイス公開鍵を含むプローブ要求の前記プログラミングデバイスへの送ることを開始することと、
前記第１のデバイス公開鍵と第２のデバイス公開鍵との間の一致の指示を含むプローブ応答の前記プログラミングデバイスからの受信を検出することと
を行うように前記プロセッサによって実行可能な命令を記憶しているメモリとを備えるワイヤレスデバイス。